(57)【要約】      （修正有）【課題】コンクリート型枠締付金具にあって、セパレータを保護する保護管の両端部にコーンカップを位置付け、これにセパレータを挿通し、型枠せき板とバタ受け金具を介して、該型枠を締付ける形態を提供する。【解決手段】セパレータ1が固着する軸体２８に保護管９とコーンカップを挿着し、セパレータ１が固着する軸体２８の両端側に型枠せき板３を挿嵌し、バタ受け金具５，１２を介してコンクリート型枠を締付する方法であり、コンクリート固化後において、コンクリート型枠とコーンカップ８，１０を残置した状態でセパレータ１が固着する軸体２８を抜取ることで、障害となるセパレータ１のネジ部が型枠せき３に絡む難点を解消する、その結果、型枠組立解体作業が大幅に省力化する。また、複数枚のコンクリート型枠を連設した状態で直上階にスライド（盛変え）する工法が容易になり、大幅な工期短縮、及びコスト削減効果を得る。【選択図】図１
2010189867.tif 000002
【特許請求の範囲】
【請求項１】
対向するコンクリート型枠間を支持する軸体にバタ材締付金具が接続するコンクリート型枠締付金具において、軸部が丸鋼の両端部に接続ネジをもうけたセパレータに、所定の長さを要する金属管の片方の小口を当接部とし、他方の小口部を円に対して両側一部を削除し、バタ受け金具が掛止する掛止部を断面が略長孔形状に形成した挿着管に、前記セパレータ両端のネジ部を残すように、該挿着管を挿し込み固着してなる軸体に、その軸体に接続するセパレータのネジ部にコーンカップを挿着し、前記軸体をコンクリート型枠せき板にもうけたセパレータが貫通するセパ孔に差込み、バタ受け金具を介して前記セパレータのネジ部にバタ材締付金具を螺止固定することで、該軸体はコンクリート型枠せき板に定着する、その定着した軸体を保護する保護管を挿着し、その後方にコーンカップを挿着した、該軸体に、対向するコンクリート型枠せき板のセパレータが貫通するセパ孔に挿嵌し、前記挿着管に形成した掛止部に合致する形状の掛止孔を形成したバタ受け金具を嵌合し、セパレータのネジ部にバタ材締付金具を螺止固定する方法により、最初にバタ材締付金具を螺止固定した部分を解除するネジ外し作業において、セパレータの空転を防止することでバタ材締付金具を抜取り、コンクリート型枠とコーンカップを残置した状態で軸体を抜取ることを可能したコンクリート型枠締付金具。
【請求項２】
請求項１記載のバタ受け金具において、平鋼の側面が略Ｌ字形状に折り曲げて、軸体に掛止固定する垂直部とバタ材が載置する水平部を形成し、セパレータを固着した軸体の断面が略長孔形状に形成したバタ受け金具が掛止する掛止部に合致する長孔をバタ受け金具に形成し、セパレータを固着した軸体にバタ受け金具の長孔を嵌合固定することで、セパレータの空転を防止するバタ受け金具。
【請求項３】
請求項１記載のコーンカップにおいて、外観が円錐台形状で、内部は末口部の一部を残し略Ｕ字形状に刳り貫き、一部残した末口部にセパレータまたは軸体が貫通する６角形状の貫通口をもうけ、前記セパレータにワンタッチで挿着することと、コンクリート型枠解体後に６角形状の貫通口に嵌合する回し工具を嵌込み、回転することで前記コーンカップを剥し取ることを特徴とするコーンカップ。
【発明の詳細な説明】
【技術分野】
【０００１】
本発明は、コンクリート型枠の組立てに用いるコンクリート型枠締付金具に関するものである。
【背景技術】
【０００２】
コンクリート構造物である壁体の施工時におけるコンクリートの打設に際しては、構造物の骨格として補強材となる鉄筋の配筋が完了したのち、その両側にコンクリート型枠（以下、単に型枠と言うことがある。）をそれぞれ連設し、対向するコンクリート型枠間の所要間隔を維持するようにセパレータ部材を配置するとともに、前記セパレータ部材により対向するコンクリート型枠の隔間を支持し、さらに、コンクリート型枠の背面を支持するバタ材を配置固定する。この様にして構築されたコンクリート型枠間にコンクリートを供給する（流し込む）ことによりコンクリート構造物の施工が行われる。
【０００３】
前述するコンクリート型枠の構築に際して使用されるセパレータ部材には概ね３種類の形態のもの、即ち、軸部が丸鋼のセパレータ、軸部が薄板の板セパレータ、軸部が平鋼の板状セパレータが存在するが、これらのセパレータ部材はコンクリート型枠の形態によって、あるいは、施行者の設計によって使い分けが行われ、また、従来から多用されるコンクリート型枠としては、コンクリート型枠の製作の容易さ、コンクリート型枠同士を連結するために釘打ち等による作業の簡便性、コンクリート型枠が木質で軽量であることに由来する施工時における運搬、ハンドリング等の取り扱いが容易であることなどの理由から木質合板製のコンクリート型枠が多用されている。
【０００４】
この様にコンクリート型枠が木質系である場合、例えば、特開２００５−６１１２６号公報の図２あるいは、特開２００５−１６０８８号公報の図４に一例を示すところ、ねじ杆あるいは単にセパレータと言う軸部が丸鋼のセパレータ部材が使用され、鉄筋の配筋を挟んで対向して配置されるコンクリート型枠のせき板にそれぞれ所要ピッチでドリルによって穿孔したセパ孔をもうけ、該セパ孔に、両端ネジを刻設してなるセパレータに螺止固着するコーン（Ｐコンと言うことがある。）の軸ネジがそれぞれせき板から突出するように嵌挿し、隣接するコンクリート型枠を釘あるいは連結金具等により連結した後、バタ材締付金具であるフォームタイ（登録商標）等を前記ネジに螺止固定し、さらに、該フォームタイにコンクリート打設時にコンクリート型枠に作用するコンクリートの荷重を支持するバタ材を上下に配置固定し、前記フォームタイ（登録商標）等の本体である軸部をクサビ状のテーパーピンで締付け、コンクリート型枠の構築が行われている。
【０００５】
また、複数枚のコンクリート型枠を連設した状態で直上階にスライド（盛変え）する外部側のコンクリート型枠において、外部側のコンクリート型枠の縦バタ材にナットを固着した座板を縦バタに固定し、前記ナットにセパレータをネジ込み固定し、該セパレータに保護管（スリーブ管）を挿し込み、内部側のコンクリート型枠を建て込み、そのコンクリート型枠せき板に設けたセパレータのセパ孔に合わせ、コンクリート型枠を挿嵌し、バタ材締付金具を用いてバタ材を締付固定する方法によりコンクリート型枠を残置した状態でセパレータを抜取ることを可能にする。この方法では、コンクリート型枠脱型後において、コンクリート防水処理のため保護管（スリーブ管）を抜取ることになり、この作業はかなりの手間を必要とすることから労務費が拡大する。
【０００６】
前述するバタ材については、外径が４８．６ｍｍの丸鋼管（以下、単に単管と言うこともある。）または角鋼管等をフォームタイの上下に配置することで応力の均衡を保ち安定を支持する方法が一般的に採用されている。
【０００７】
新規なコンクリート型枠締付金具の形態として、スライドする鞍部材を装架するバタ材締付金具にセパレータ部材と接続する接続部をもうけ、後部に鞍部材を押圧する締付部を具備した万力的な構造により、平鋼のバタ材を鞍部材に載置し、コンクリート型枠に対してバタ材を押圧することで、コンクリート型枠の固定締付作業を安全かつ、簡便にするコンクリート型枠締付金具が提案されている（例えば、特開２００８−１１５５９１号公報参照。）。
【特許文献１】特開２００８−１１５５９１号公報
【特許文献２】特開２００６−２０７３６７号公報
【特許文献３】特開２００５−１６０８８号公報
【特許文献４】特開２００５−６１１２６号公報
【特許文献５】特開２００４−２７５９２号公報
【特許文献６】特開１９９８−２６６５６０号公報
【非特許文献１】製品カタログＮＯ3コンクリート型枠編−岡部株式会社発行
【非特許文献２】総合カタログ・岡部株式会社発行
【非特許文献３】マルイの建設パーツ総合カタログＮＯ.９・丸井産業株式会社発行
【発明の開示】
【発明が解決しようとする課題】
【０００８】
前述の諸点に鑑み、対向するコンクリート型枠間にコンクリートを流し込みコンクリート固化後の作業において、従来の工法では、セパレータの両端部に螺止固着するコーン（Ｐコンと言うことがある。）の軸ネジに、コンクリート型枠を介してバタ材締付金具の本体をネジ込み固定し、上下のバタ材を配置し、ボルトあるいはクサビを用いて締付固定し、コンクリート固化後にバタ材とバタ材締付金具を取外し、セパレータの両端部に接続されたコーンを残置した状態でコンクリート型枠の解体を実施することで、コンクリート型枠せき板（コンパネ等。）のセパ孔にコーンの軸ネジが絡むことで、コンクリート型枠解体が困難となる。そこで、コンクリート型枠と外観が円錐台形状で内部は図５に示すように末口部を残し略Ｕ字形状に刳り貫いたコーンカップ８，１０を残置した状態でセパレータ１を抜取る形態にするものである。
【０００９】
また、コンクリート締付金具にバタ受け金具５，１２を具備したことで重く長い横バタ材１５を持ってコンクリート型枠の組立て、あるいは解体作を安全で容易にすることにある。
【課題を解決するための手段】
【００１０】
そして、本発明は上記目的を達成させるため、所定の長さを要するセパレータ１に嵌合する挿着管２を、該挿着管２にセパレータ１を挿着固定してなる軸体２８に、その軸体２８に固着する挿着管２から延び出るセパレータ１の部分にコーンカップ８を挿着し、コンクリート型枠せき板３とバタ受け金具５を介して、軸体２８に固着するセパレータ１の接続ネジ６にバタ材締付金具本体７を螺止固定することで軸体２８はコンクリート型枠せき板３に定着する、そして、前記軸体２８を保護（養生）するための保護管９を挿着し、その後部にコーンカップ１０を挿着し、コンクリート型枠せき板３とバタ受け金具１２を介してバタ材締付金具本体７をセパレータ１の接続ネジ１３に螺止固定する、前記バタ受け金具１２の取付け部は図７に示すように長孔２６に形成し、セパレータ１に固着する挿着管２の円に対して両側の一部を削除した掛止部２５に、嵌合する、前記掛止部２５にバタ受け金具１２を嵌合することで、セパレータ１の接続ネジ６（バタ受け金具５の側）とバタ材締付金具本体７との螺合締付（ネジ締付）または緩和（ネジ外し）時に際してセパレータ１の空転を防止することになり、セパレータ１とバタ材締付金具本体７のネジ締付、及び緩和（ネジ外し）が容易になることで、コンクリート型枠とコーンカップ８、１０を残置した状態でセパレータ１が固着する軸体２８の抜取りを可能にする。
【発明の効果】
【００１１】
上述したように本発明のコンクリート型枠締付金具は、コンクリート固化後において、コンクリート型枠とコーンカップ８，１０を残置した状態でセパレータ１と挿着管２が固着する軸体２８を抜取ることでコンクリート型枠せき板３に絡むセパレータ１の突出部がなくなり、コンクリート型枠せき板３の剥れが良くなることからコンクリート型枠解体作業の能率が良くなり、また、コンクリート型枠の剥離性が良いことで破損が少なくなり転用回数が拡大する、さらに、バタ受け金具５、１２を具備することで長い横バタ材１５を簡単、容易に仮置きして安全でバタ材取付け取外し作業が能率的となることなどから大幅な経済的効果を得ることができる。
【００１２】
また、コンクリート固化後において、コンクリート型枠とコーンカップ８，１０を残置した状態でセパレータ１と挿着管２が固着する軸体２８を抜取ることで、コンクリート型枠せき板３に絡むセパレータ１が除去することで、複数枚のコンクリート型枠を連設した状態で直上階にスライド（盛変え）することが容易になる外部側の大型型枠スライド工法を実現する。
【００１３】
さらに、コンクリート型枠の解体が容易になることからコンクリート型枠の破損が少なくなり転用回数が拡大し、コンクリート型枠せき板３に使用する熱帯雨林材の使用量が削減することになり地球環境問題あるいは森林の保護に役立つ。また、コンクリート型枠の転用率を拡大することと作業の省力化により、大幅なコスト削減となる。
【発明を実施するための最良の形態】
【００１４】
以下、本発明の実施の形態を図1〜図１０に基づいて説明する。
【実施例１】
【００１５】
この実施例において、コンクリート型枠は、縦バタ材１４に木質桟木をせき板３（コンパネ等。）に固定した形態にし、横バタ材１５は、単管を使用することを前提に説明する。
【００１６】
図1は、コンクリート型枠締付金具の構成を示す断正面図であって、セパレータ１および金属製の挿着管２を固着する軸体２８はコンクリート型枠の巾を支持し、この軸体２８を、対向する片方（右方）のコンクリート型枠せき板３にセパレータ１が貫通するセパ孔４に前記軸体２８から延び出るセパレータ１の接続ネジ６部にコーンカップ８を挿着し、バタ受け金具５を介して接続ネジ６にバタ材締付金具本体７を螺止固定することで、軸体２８は型枠せき板３に定着することになり、その軸体２８を保護する保護管９を挿着し、その後方にコーンカップ１０を挿着し、そして、他方（左方）のコンクリート型枠せき板３にもうけたセパ孔１１に軸体２８が嵌合するようにコンクリート型枠を建て込みバタ受け金具１２を介して、セパレータ１の接続ネジ１３にバタ材締付金具本体７を螺止固定し、対向する両方のコンクリート型枠せき板３に対して縦バタ材１４と横バタ材１５を配置し、押座金１６を介してナット１７を締付けることで壁体のコンクリート型枠が構築する。
【００１７】
図２は、対向するコンクリート型枠に対して、片方（右方）の要部を示す部分断面図であり、セパレータ１に挿着管２を圧接等の固定手段により固着した軸体２８を形成し、前記軸体２８の端部右方にはセパレータ１の接続ネジ６が延び出し、その接続ネジ６にはコーンカップ８とコンクリート型枠せき板３とバタ受け金具５を介してバタ材締付金具本体７が、前記接続ネジ６に螺止固定する。要するに、コーンカップ８とコンクリート型枠せき板３とバタ受け金具５を軸体２８の当接部である小口とバタ材締付金具本体７で挟込み、セパレータ１の接続ネジ６にバタ材締付金具本体７を螺止固定することで軸体２８はコンクリート型枠せき板３に定着する。
【００１８】
図２に示すバタ受け金具５は、所定の長さを要する平鋼を、側面が略Ｌ字形状になるように折り曲げ、図２に示すように垂直部１８と水平部１９を形成し、前記垂直部１８の上方に、セパレータ１の接続ネジ６に嵌合する円形状の掛止孔２０を図３に示す位置に形成し、水平部１９は横バタ材１５を仮置きする部位であり、仮置きした横バタ材１５の滑り落ちを防止するため先端を４５度程度に折り曲げた防落部２１を形成する。
【００１９】
図２に示すコーンカップ８は、外観が円錐台形状で内部は図５に示すように末口の一部を残し略Ｕ字形状に刳り貫き、末口部にセパレータ１が挿通する６角形状の貫通口２２を形成し、コーンカップ８の末口面に挿着管２が当接するため、コーンカップ８の末口面を保護する丸座金２３を接着等により固着する、前記丸座金２３の円心部はセパレータ１が挿通するセパ孔２４を穿設する。
【００２０】
図６は、対向するコンクリート型枠に対して、片方（左方）の要部を示す部分断面図であり、挿着管２の片方端部にバタ受け金具１２が嵌合する掛止部２５を、図８に示すように挿着管２の円に対して両側の一部を削除し、断面形状が略長孔形状の掛止部２５を形成した挿着管２にセパレータ１を固着した軸体２８に保護管９を挿着し、その後方にコーンカップ１０を挿着し、前記保護管９から延び出る軸体２８をコンクリート型枠せき板３にもうけた軸体２８が貫通するセパ孔１１に挿し込みながらコンクリート型枠を配置し、挿着管２に形成された掛止部２５にバタ受け金具１２を嵌合し、バタ材締付金具本体７をセパレータ１の接続ネジ１３に螺止固定し、対向する両方のコンクリート型枠せき板３に対して、縦バタ材１４と横バタ材１５を配置し、押座金１６を介してナット１７を締付けることで壁体のコンクリート型枠が構築する。
【００２１】
前述記載の保護管９は、軸体２８を保護するための部材であり、該保護管９の片方（右方）の小口がコーンカップ８の末口部に固着する丸座金２３に当接し、他方（左方）がコーンカップ１０の末口部に当接し、コンクリートの流入を防止する埋殺しの部材である。そして、保護管９とコーンカップ８、１０の材質は特に限定するものでなく、合成樹脂等の製品が好ましく、保護管９については安価なＣＤ管を使用することが望ましい。
【００２２】
図６、図７に示すバタ受け金具１２は、一部を除きバタ受け金具５と同等であり、異なる部分はバタ受け金具１２掛止する部分であり、バタ受け金具１２が掛止する部分を図７に示すように、軸体２８に固着する挿着管２の掛止部２５に合致する長孔２６を形成し、挿着管２の掛止部２５に嵌合固定することで、セパレータ１が固着する軸体２８の空転を防止することになり、コンクリート型枠せき板３とコーンカップ８、１０を残置した状態で、軸体２８を取外すことが可能となる。詳しくは、バタ材締付金具本体７を左回転により取外すことで軸体２８が除去され、障害となるセパレータ１のネジ部かコンクリート型枠せき板３に絡む難点を解消する。
【００２３】
図９に示すコーンカップ１０は、一部を除きコーンカップ８と同等であり、異なる部分は末口部に固着する丸座金２３が不要である。
【００２４】
次に、コンクリート型枠解体手順については、コンクリート固化後において、図２、図３に示すバタ材締付金具本体７のナット１７を解除し、上下の横バタ材１５を取外し、セパレータ１の接続ネジ６に螺合接続する図２に示すバタ材締付金具本体７を左回転により取外し、（この時、セパレータ１とバタ材締付金具本体７が一緒に回転する場合は、対向する反対方のバタ受け金具１２の動きを止める。）バタ受け金具５を取外し、バタ受け金具１２とバタ材締付金具本体７を外し、セパレータ１が固着する軸体２８を抜取り、対向する両方のコンクリート型枠を剥がすように解体し、コーンカップ８、１０の貫通口２２，２７に６角棒の工具（図面省略。）を差込み、回転させて剥がし取り、コーンカップ８、１０の穴に防水モルタル等を詰込み止水する。
【００２５】
以上詳細に説明したように従来のコンクリート型枠締付金具は、コンクリート型枠とコーンカップを残置した状態でセパレータ１を抜取ることができない理由から、コンクリート型枠の解体時にセパレータ１のネジ部あるいはコーン（Ｐコンとも言う）の軸ネジがコンクリート型枠せき板３から突出し、絡む状態でコンクリート型枠を剥がし取るため、コンクリート型枠の損傷も激しいことから、型枠資材の消耗、及び労務負担等の損失によりコストが拡大する、これに比して、本発明にかかるコンクリート締付金具は、コンクリート型枠とコーンカップ８、１０を残置した状態でセパレータ１を抜取る方法であり、コンクリート型枠の解体時に障害となるセパレータ１のネジ部分が型枠せき板３に絡む難点を解消する。
【００２６】
また、コンクリート締付金具にバタ受け金具５，１２を具備したことで重く長い横バタ材１５を持ってコンクリート型枠の組立て、あるいは解体作業が安全で比較的簡単となり、有利な施工ができる。
【００２７】
さらに、コーンカップ８，１０は、ネジ部を不要とし、挿し込む形態にしたためネジ込み作業が省略的となる。また、コーンカップ８，１０はネジ接続部が不要なため単価的に有利となる。
【図面の簡単な説明】
【００２８】
【図１】本発明にかかるコンクリート締付金具の構成を示す断正面図
【図２】本発明にかかるコンクリート締付金具の片方（右方）の要部を示す詳細図
【図３】バタ受け金具の図２におけるＥ―Ｅ線断面図
【図４】コーンカップの図１におけるＡ―Ａ線断面図
【図５】コーンカップの図４におけるＢ―Ｂ線断面図
【図６】本発明にかかるコンクリート締付金具の片方（左方）の要部を示す詳細図
【図７】バタ受け金具の図６におけるＦ―Ｆ線断面図
【図８】バタ受け金具が嵌合する掛止部を示す挿着管の部分正面図
【図９】コーンカップの図１におけるＣ―Ｃ線断面図
【図１０】コーンカップの図９におけるＤ―Ｄ線断面図
【符号の説明】
【００２９】
１  セパレータ
２  挿着管
３  型枠せき板
４  セパ孔
５  バタ受け金具
６  接続ネジ
７  バタ材締付金具本体
８  コーンカップ
９  保護管
１０  コーンカップ
１１  セパ孔
１２  バタ受け金具
１３  接続ネジ
１４  縦バタ材
１５  横バタ材
１６  押座金
１７  ナット
１８  垂直部
１９  水平部
２０  掛止孔
２１  防落部
２２  貫通口
２３  丸座金
２４  セパ孔
２５  掛止部
２６  長孔
２７  貫通口
２８  軸体
【図１】
2010189867.tif 000003
【図２】
2010189867.tif 000004
【図３】
2010189867.tif 000005
【図４】
2010189867.tif 000006
【図５】
2010189867.tif 000007
【図６】
2010189867.tif 000008
【図７】
2010189867.tif 000009
【図８】
2010189867.tif 000010
【図９】
2010189867.tif 000011
【図１０】
2010189867.tif 000012
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
対向するコンクリート型枠せき板間を支持するためのコンクリート型枠締付金具であって、
丸鋼軸部の両端部にネジ部をもうけたセパレータと、該セパレータ両端のネジ部を残すように挿し込み固着された挿着管とからなる軸体と、
前記セパレータ両端のネジ部に螺止固定される一対のバタ材締付金具と、
前記軸体に挿着される一対のコーンカップと、
前記軸体に挿着される一対のバタ受け金具と、
前記軸体を保護するように前記軸体に挿着される保護管とを備え、
前記挿着管は、所定の長さを有する金属管の一方の小口を一方のコーンカップの末口面に当接する当接部とするとともに、他方の小口を円に対して両側の一部を削除することにより前記軸体の断面が略長孔形状となる掛止部として形成され、
前記挿着管の掛止部側の前記バタ受け金具には、前記掛止部に合致する形状の掛止孔が形成され、前記挿着管の掛止部に前記バタ受け金具の掛止孔が嵌合し、
もって、前記一対のバタ材締付金具を螺止固定した部分を解除するネジ外し作業において、前記セパレータの空転を防止することにより前記バタ材締付金具を抜取り、前記コンクリート型枠せき板と前記一対のコーンカップとを残置した状態で前記軸体を抜取ることを可能としたことを特徴とするコンクリート型枠締付金具。
【請求項２】
前記一対のコーンカップは、外観が円錐台形状で、内部は末口部の一部を残し略Ｕ字形状に刳り貫かれ、前記末口部には前記セパレータまたは前記軸体が貫通する６角形状の貫通口がもうけられていることを特徴とする請求項１記載のコンクリート型枠締付金具。
【請求項３】
対向するコンクリート型枠せき板間を支持するのに用いられるセパレータとともに使用されるバタ受け金具であって、
平鋼が略Ｌ字形状に折り曲げられることにより、前記セパレータを含む軸体に掛止固定される垂直部とバタ材が載置される水平部とが形成され、
前記垂直部には、前記軸体の掛止部に合致する長孔形状の掛止孔が形成され、
前記軸体の掛止部に嵌合固定されたときに、前記セパレータの空転を防止することを特徴とするバタ受け金具。
【手続補正２】
【補正対象書類名】明細書
【補正対象項目名】全文
【補正方法】変更
【補正の内容】
【発明の詳細な説明】
【技術分野】
【０００１】
本発明は、コンクリート型枠の組立てに用いるコンクリート型枠締付金具及びバタ受け金具に関するものである。
【背景技術】
【０００２】
コンクリート構造物である壁体の施工時におけるコンクリートの打設に際しては、構造物の骨格として補強材となる鉄筋の配筋が完了したのち、その両側にコンクリート型枠（以下、単に型枠と言うことがある。）をそれぞれ連設し、対向するコンクリート型枠間の所要間隔を維持するようにセパレータ部材を配置するとともに、前記セパレータ部材により対向するコンクリート型枠の隔間を支持し、さらに、コンクリート型枠の背面を支持するバタ材を配置固定する。この様にして構築されたコンクリート型枠間にコンクリートを供給する（流し込む）ことによりコンクリート構造物の施工が行われる。
【０００３】
前述するコンクリート型枠の構築に際して使用されるセパレータ部材には概ね３種類の形態のもの、即ち、軸部が丸鋼のセパレータ、軸部が薄板の板セパレータ、軸部が平鋼の板状セパレータが存在するが、これらのセパレータ部材はコンクリート型枠の形態によって、あるいは、施行者の設計によって使い分けが行われ、また、従来から多用されるコンクリート型枠としては、コンクリート型枠の製作の容易さ、コンクリート型枠同士を連結するために釘打ち等による作業の簡便性、コンクリート型枠が木質で軽量であることに由来する施工時における運搬、ハンドリング等の取り扱いが容易であることなどの理由から木質合板製のコンクリート型枠が多用されている。
【０００４】
この様にコンクリート型枠が木質系である場合、例えば、特開２００５−６１１２６号公報の図２あるいは、特開２００５−１６０８８号公報の図４に一例を示すところ、ねじ杆あるいは単にセパレータと言う軸部が丸鋼のセパレータ部材が使用され、鉄筋の配筋を挟んで対向して配置されるコンクリート型枠のせき板にそれぞれ所要ピッチでドリルによって穿孔したセパ孔をもうけ、該セパ孔に、両端ネジを刻設してなるセパレータに螺止固着するコーン（Ｐコンと言うことがある。）の軸ネジがそれぞれせき板から突出するように嵌挿し、隣接するコンクリート型枠を釘あるいは連結金具等により連結した後、バタ材締付金具であるフォームタイ（登録商標）等を前記ネジに螺止固定し、さらに、該フォームタイにコンクリート打設時にコンクリート型枠に作用するコンクリートの荷重を支持するバタ材を上下に配置固定し、前記フォームタイ（登録商標）等の本体である軸部をクサビ状のテーパーピンで締付け、コンクリート型枠の構築が行われている。
【０００５】
また、複数枚のコンクリート型枠を連設した状態で直上階にスライド（盛変え）する外部側のコンクリート型枠において、外部側のコンクリート型枠の縦バタ材にナットを固着した座板を縦バタに固定し、前記ナットにセパレータをネジ込み固定し、該セパレータに保護管（スリーブ管）を挿し込み、内部側のコンクリート型枠を建て込み、そのコンクリート型枠せき板に設けたセパレータのセパ孔に合わせ、コンクリート型枠を挿嵌し、バタ材締付金具を用いてバタ材を締付固定する方法によりコンクリート型枠を残置した状態でセパレータを抜取ることを可能にする。この方法では、コンクリート型枠脱型後において、コンクリート防水処理のため保護管（スリーブ管）を抜取ることになり、この作業はかなりの手間を必要とすることから労務費が拡大する。
【０００６】
前述するバタ材については、外径が４８．６ｍｍの丸鋼管（以下、単に単管と言うこともある。）または角鋼管等をフォームタイの上下に配置することで応力の均衡を保ち安定を支持する方法が一般的に採用されている。
【０００７】
新規なコンクリート型枠締付金具の形態として、スライドする鞍部材を装架するバタ材締付金具にセパレータ部材と接続する接続部をもうけ、後部に鞍部材を押圧する締付部を具備した万力的な構造により、平鋼のバタ材を鞍部材に載置し、コンクリート型枠に対してバタ材を押圧することで、コンクリート型枠の固定締付作業を安全かつ、簡便にするコンクリート型枠締付金具が提案されている（例えば、特開２００８−１１５５９１号公報参照。）。
【特許文献１】特開２００８−１１５５９１号公報
【特許文献２】特開２００６−２０７３６７号公報
【特許文献３】特開２００５−１６０８８号公報
【特許文献４】特開２００５−６１１２６号公報
【特許文献５】特開２００４−２７５９２号公報
【特許文献６】特開１９９８−２６６５６０号公報
【非特許文献１】製品カタログＮＯ3コンクリート型枠編−岡部株式会社発行
【非特許文献２】総合カタログ・岡部株式会社発行
【非特許文献３】マルイの建設パーツ総合カタログＮＯ.９・丸井産業株式会社発行
【発明の開示】
【発明が解決しようとする課題】
【０００８】
前述の諸点に鑑み、対向するコンクリート型枠間にコンクリートを流し込みコンクリート固化後の作業において、従来の工法では、セパレータの両端部に螺止固着するコーン（Ｐコンと言うことがある。）の軸ネジに、コンクリート型枠を介してバタ材締付金具の本体をネジ込み固定し、上下のバタ材を配置し、ボルトあるいはクサビを用いて締付固定し、コンクリート固化後にバタ材とバタ材締付金具を取外し、セパレータの両端部に接続されたコーンを残置した状態でコンクリート型枠の解体を実施することで、コンクリート型枠せき板（コンパネ等。）のセパ孔にコーンの軸ネジが絡むことで、コンクリート型枠解体が困難となる。そこで、コンクリート型枠と外観が円錐台形状で内部は図５に示すように末口部を残し略Ｕ字形状に刳り貫いたコーンカップ８，１０を残置した状態でセパレータ１を抜取る形態にするものである。
【０００９】
また、コンクリート締付金具にバタ受け金具５，１２を具備したことで重く長い横バタ材１５を持ってコンクリート型枠の組立て、あるいは解体作業を安全で容易にすることにある。
【課題を解決するための手段】
【００１０】
そして、本発明は上記目的を達成させるため、所定の長さを要するセパレータ１に嵌合する挿着管２を、該挿着管２にセパレータ１を挿着固定してなる軸体２８に、その軸体２８に固着する挿着管２から延び出るセパレータ１の部分にコーンカップ８を挿着し、コンクリート型枠せき板３とバタ受け金具５を介して、軸体２８に固着するセパレータ１の接続ネジ６にバタ材締付金具本体７を螺止固定することで軸体２８はコンクリート型枠せき板３に定着する。そして、前記軸体２８を保護（養生）するための保護管９を挿着し、その後部にコーンカップ１０を挿着し、コンクリート型枠せき板３とバタ受け金具１２を介してバタ材締付金具本体７をセパレータ１の接続ネジ１３に螺止固定する。前記バタ受け金具１２の取付け部は図７に示すように長孔２６に形成し、セパレータ１に固着する挿着管２の円に対して両側の一部を削除した掛止部２５に嵌合する。前記掛止部２５にバタ受け金具１２を嵌合することで、セパレータ１の接続ネジ６（バタ受け金具５の側）とバタ材締付金具本体７との螺合締付（ネジ締付）または緩和（ネジ外し）時に際してセパレータ１の空転を防止することになり、セパレータ１とバタ材締付金具本体７のネジ締付、及び緩和（ネジ外し）が容易になることで、コンクリート型枠とコーンカップ８、１０を残置した状態でセパレータ１が固着する軸体２８の抜取りを可能にする。
【発明の効果】
【００１１】
上述したように本発明のコンクリート型枠締付金具は、コンクリート固化後において、コンクリート型枠とコーンカップ８，１０を残置した状態でセパレータ１と挿着管２が固着する軸体２８を抜取ることでコンクリート型枠せき板３に絡むセパレータ１の突出部がなくなり、コンクリート型枠せき板３の剥れが良くなることからコンクリート型枠解体作業の能率が良くなり、また、コンクリート型枠の剥離性が良いことで破損が少なくなり転用回数が拡大する、さらに、バタ受け金具５、１２を具備することで長い横バタ材１５を簡単、容易に仮置きして安全でバタ材取付け取外し作業が能率的となることなどから大幅な経済的効果を得ることができる。
【００１２】
また、コンクリート固化後において、コンクリート型枠とコーンカップ８，１０を残置した状態でセパレータ１と挿着管２が固着する軸体２８を抜取ることで、コンクリート型枠せき板３に絡むセパレータ１が除去することで、複数枚のコンクリート型枠を連設した状態で直上階にスライド（盛変え）することが容易になる外部側の大型型枠スライド工法を実現する。
【００１３】
さらに、コンクリート型枠の解体が容易になることからコンクリート型枠の破損が少なくなり転用回数が拡大し、コンクリート型枠せき板３に使用する熱帯雨林材の使用量が削減することになり地球環境問題あるいは森林の保護に役立つ。また、コンクリート型枠の転用率を拡大することと作業の省力化により、大幅なコスト削減となる。
【発明を実施するための最良の形態】
【００１４】
以下、本発明の実施の形態を図1〜図１０に基づいて説明する。
【実施例１】
【００１５】
この実施例において、コンクリート型枠は、縦バタ材１４に木質桟木をせき板３（コンパネ等。）に固定した形態にし、横バタ材１５は、単管を使用することを前提に説明する。
【００１６】
図1は、コンクリート型枠締付金具の構成を示す断正面図であって、セパレータ１および金属製の挿着管２を固着する軸体２８はコンクリート型枠の巾を支持し、この軸体２８を、対向する片方（右方）のコンクリート型枠せき板３にセパレータ１が貫通するセパ孔４に前記軸体２８から延び出るセパレータ１の接続ネジ６部にコーンカップ８を挿着し、バタ受け金具５を介して接続ネジ６にバタ材締付金具本体７を螺止固定することで、軸体２８は型枠せき板３に定着することになり、その軸体２８を保護する保護管９を挿着し、その後方にコーンカップ１０を挿着し、そして、他方（左方）のコンクリート型枠せき板３にもうけたセパ孔１１に軸体２８が嵌合するようにコンクリート型枠を建て込みバタ受け金具１２を介して、セパレータ１の接続ネジ１３にバタ材締付金具本体７を螺止固定し、対向する両方のコンクリート型枠せき板３に対して縦バタ材１４と横バタ材１５を配置し、押座金１６を介してナット１７を締付けることで壁体のコンクリート型枠が構築する。
【００１７】
図２は、対向するコンクリート型枠に対して、片方（右方）の要部を示す部分断面図であり、セパレータ１に挿着管２を圧接等の固定手段により固着した軸体２８を形成し、前記軸体２８の端部右方にはセパレータ１の接続ネジ６が延び出し、その接続ネジ６にはコーンカップ８とコンクリート型枠せき板３とバタ受け金具５を介してバタ材締付金具本体７が、前記接続ネジ６に螺止固定する。要するに、コーンカップ８とコンクリート型枠せき板３とバタ受け金具５を軸体２８の当接部である小口とバタ材締付金具本体７で挟込み、セパレータ１の接続ネジ６にバタ材締付金具本体７を螺止固定することで軸体２８はコンクリート型枠せき板３に定着する。
【００１８】
図２に示すバタ受け金具５は、所定の長さを要する平鋼を、側面が略Ｌ字形状になるように折り曲げ、図２に示すように垂直部１８と水平部１９を形成し、前記垂直部１８の上方に、セパレータ１の接続ネジ６に嵌合する円形状の掛止孔２０を図３に示す位置に形成し、水平部１９は横バタ材１５を仮置きする部位であり、仮置きした横バタ材１５の滑り落ちを防止するため先端を４５度程度に折り曲げた防落部２１を形成する。
【００１９】
図２に示すコーンカップ８は、外観が円錐台形状で内部は図５に示すように末口の一部を残し略Ｕ字形状に刳り貫き、末口部にセパレータ１が挿通する６角形状の貫通口２２を形成し、コーンカップ８の末口面に挿着管２が当接するため、コーンカップ８の末口面を保護する丸座金２３を接着等により固着する。前記丸座金２３の円心部はセパレータ１が挿通するセパ孔２４を穿設する。
【００２０】
図６は、対向するコンクリート型枠に対して、片方（左方）の要部を示す部分断面図であり、挿着管２の片方端部にバタ受け金具１２が嵌合する掛止部２５を、図８に示すように挿着管２の円に対して両側の一部を削除し、断面形状が略長孔形状の掛止部２５を形成した挿着管２にセパレータ１を固着した軸体２８に保護管９を挿着し、その後方にコーンカップ１０を挿着し、前記保護管９から延び出る軸体２８をコンクリート型枠せき板３にもうけた軸体２８が貫通するセパ孔１１に挿し込みながらコンクリート型枠を配置し、挿着管２に形成された掛止部２５にバタ受け金具１２を嵌合し、バタ材締付金具本体７をセパレータ１の接続ネジ１３に螺止固定し、対向する両方のコンクリート型枠せき板３に対して、縦バタ材１４と横バタ材１５を配置し、押座金１６を介してナット１７を締付けることで壁体のコンクリート型枠が構築する。
【００２１】
前述記載の保護管９は、軸体２８を保護するための部材であり、該保護管９の片方（右方）の小口がコーンカップ８の末口部に固着する丸座金２３に当接し、他方（左方）がコーンカップ１０の末口部に当接し、コンクリートの流入を防止する埋殺しの部材である。そして、保護管９とコーンカップ８、１０の材質は特に限定するものでなく、合成樹脂等の製品が好ましく、保護管９については安価なＣＤ管を使用することが望ましい。
【００２２】
図６、図７に示すバタ受け金具１２は、一部を除きバタ受け金具５と同等であり、異なる部分はバタ受け金具１２が掛止する部分であり、バタ受け金具１２が掛止する部分を図７に示すように、軸体２８に固着する挿着管２の掛止部２５に合致する長孔２６を形成し、挿着管２の掛止部２５に嵌合固定することで、セパレータ１が固着する軸体２８の空転を防止することになり、コンクリート型枠せき板３とコーンカップ８、１０を残置した状態で、軸体２８を取外すことが可能となる。詳しくは、バタ材締付金具本体７を左回転により取外すことで軸体２８が除去され、障害となるセパレータ１のネジ部がコンクリート型枠せき板３に絡む難点を解消する。
【００２３】
図９に示すコーンカップ１０は、一部を除きコーンカップ８と同等であり、異なる部分は末口部に固着する丸座金２３が不要である。
【００２４】
次に、コンクリート型枠解体手順については、コンクリート固化後において、図２、図３に示すバタ材締付金具本体７のナット１７を解除し、上下の横バタ材１５を取外し、セパレータ１の接続ネジ６に螺合接続する図２に示すバタ材締付金具本体７を左回転により取外し、（この時、セパレータ１とバタ材締付金具本体７が一緒に回転する場合は、対向する反対方のバタ受け金具１２の動きを止める。）バタ受け金具５を取外し、バタ受け金具１２とバタ材締付金具本体７を外し、セパレータ１が固着する軸体２８を抜取り、対向する両方のコンクリート型枠を剥がすように解体し、コーンカップ８、１０の貫通口２２，２７に６角棒の工具（図面省略。）を差込み、回転させて剥がし取り、コーンカップ８、１０の穴に防水モルタル等を詰込み止水する。
【００２５】
以上詳細に説明したように従来のコンクリート型枠締付金具は、コンクリート型枠とコーンカップを残置した状態でセパレータ１を抜取ることができない理由から、コンクリート型枠の解体時にセパレータ１のネジ部あるいはコーン（Ｐコンとも言う）の軸ネジがコンクリート型枠せき板３から突出し、絡む状態でコンクリート型枠を剥がし取るため、コンクリート型枠の損傷も激しいことから、型枠資材の消耗、及び労務負担等の損失によりコストが拡大する、これに比して、本発明にかかるコンクリート締付金具は、コンクリート型枠とコーンカップ８、１０を残置した状態でセパレータ１を抜取る方法であり、コンクリート型枠の解体時に障害となるセパレータ１のネジ部分が型枠せき板３に絡む難点を解消する。
【００２６】
また、コンクリート締付金具にバタ受け金具５，１２を具備したことで重く長い横バタ材１５を持ってコンクリート型枠の組立て、あるいは解体作業が安全で比較的簡単となり、有利な施工ができる。
【００２７】
さらに、コーンカップ８，１０は、ネジ部を不要とし、挿し込む形態にしたためネジ込み作業が省略的となる。また、コーンカップ８，１０はネジ接続部が不要なため単価的に有利となる。
【図面の簡単な説明】
【００２８】
【図１】本発明にかかるコンクリート締付金具の構成を示す断正面図
【図２】本発明にかかるコンクリート締付金具の片方（右方）の要部を示す詳細図
【図３】バタ受け金具の図２におけるＥ―Ｅ線断面図
【図４】コーンカップの図１におけるＡ―Ａ線断面図
【図５】コーンカップの図４におけるＢ―Ｂ線断面図
【図６】本発明にかかるコンクリート締付金具の片方（左方）の要部を示す詳細図
【図７】バタ受け金具の図６におけるＦ―Ｆ線断面図
【図８】バタ受け金具が嵌合する掛止部を示す挿着管の部分正面図
【図９】コーンカップの図１におけるＣ―Ｃ線断面図
【図１０】コーンカップの図９におけるＤ―Ｄ線断面図
【符号の説明】
【００２９】
１  セパレータ
２  挿着管
３  型枠せき板
４  セパ孔
５  バタ受け金具
６  接続ネジ
７  バタ材締付金具本体
８  コーンカップ
９  保護管
１０  コーンカップ
１１  セパ孔
１２  バタ受け金具
１３  接続ネジ
１４  縦バタ材
１５  横バタ材
１６  押座金
１７  ナット
１８  垂直部
１９  水平部
２０  掛止孔
２１  防落部
２２  貫通口
２３  丸座金
２４  セパ孔
２５  掛止部
２６  長孔
２７  貫通口
２８  軸体
【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
対向するコンクリート型枠せき板間を支持するためのコンクリート型枠締付金具であって、
丸鋼軸部の両端部にネジ部をもうけたセパレータと、該セパレータ両端のネジ部を残すように挿し込み固着された挿着管とからなる軸体と、
前記セパレータ両端のネジ部に螺止固定される一対のバタ材締付金具と、
前記軸体に挿着される一対のコーンカップと、
前記軸体に挿着される一対のバタ受け金具と、
前記軸体を保護するように前記軸体に挿着される保護管とを備え、
前記挿着管は、所定の長さを有する金属管の一方の小口を一方のコーンカップの末口面に当接する当接部とするとともに、他方の小口を円に対して両側の一部を削除することにより前記軸体の断面が略長孔形状となる掛止部として形成され、
前記挿着管の掛止部側の前記バタ受け金具には、前記掛止部に合致する形状の掛止孔が形成され、前記挿着管の掛止部に前記バタ受け金具の掛止孔が嵌合し、
もって、前記一対のバタ材締付金具を螺止固定した部分を解除するネジ外し作業において、前記セパレータの空転を防止することにより前記バタ材締付金具を抜取り、前記コンクリート型枠せき板と前記一対のコーンカップとを残置した状態で前記軸体を抜取ることを可能としたことを特徴とするコンクリート型枠締付金具。
【請求項２】
前記一対のコーンカップは、外観が円錐台形状で、内部は末口部の一部を残し略Ｕ字形状に刳り貫かれ、前記末口部には前記セパレータまたは前記軸体が貫通する６角形状の貫通口がもうけられていることを特徴とする請求項１記載のコンクリート型枠締付金具。
【手続補正３】
【補正対象書類名】明細書
【補正対象項目名】０００１
【補正方法】変更
【補正の内容】
【０００１】
本発明は、コンクリート型枠の組立てに用いるコンクリート型枠締付金具に関するものである。